(57)【要約】
【課題】手腕と腰部と腹部の運動を同時に行う運動効果を提供する手腕と腰部と腹部の健康器具を提供する。
【解決手段】中央部のリング１１内に設けたバネを備えたスライド機構により腹部に押し付ける腹部板が矢印方向に往復移動するようにし、
該リング他端には屈曲した第２連結棒に固定された凸球部６１１の廻りに偏心回転する回転体６を設ける。
回転体内には偏心軸から半径方向にスライドする重量ブロックが内蔵され、利用者が装置のグリップバーの操作段２２を把持し、腹部板を腹部に押し当てて前後に押し引き操作すると、腹部バーには弾発力により抵抗が加わり、又回転体の偏心回転運動と内蔵する重量ブロックのスライド移動による間欠的な抵抗と振れ運動が加わり、効果的な運動効果が発揮される。
【選択図】        図５
0003101470.tif 000002
【実用新案登録請求の範囲】
【請求項１】
主体，グリップバー，第一連結棒，腹部板，第二連結棒，回転体，より構成される手腕と腰部と腹部の健康器具において、
中空のリング状を形成すると共に中央個所には該リング半径方向に滑動凹部が設けられており、
また該滑動凹部の前後には第一棒収容溝及び第二棒収容溝が設けられており、更に該第一棒収容溝及び第二棒収容溝に対して、第三棒収容溝が左右対称に設けられており、
更に該滑動凹部内部には該第一棒収容溝と第二棒収容溝との間にブロック壁を設け、滑動凹部内を前後にスライドする滑動ブロックと該ブロック壁の間にて弾発力を作用する弾発部材を設けた、該主体と、
一端が該主体の第三棒収容溝内部に嵌設される、該グリップバーと、
一端が該滑動ブロックと一体に結合され、該第一棒収容溝によって該主体の滑動凹部内部に挿通されており、且つ片側にはスライド溝が設けられ、スライドボルトによって該第一連結棒と該主体間における移動制限がされている、該第一連結棒と、
該第一連結棒の主体側と反対側に嵌設固定されている、該腹部板と、
上横段と下向段とが垂直を成して直角に湾曲した棒状を呈しており、該上横段が該主体の第二棒収容溝に嵌入される、該第二連結棒と、
該第二連結棒の下向段を偏心軸として回転する構造を具有する回転体と、
を具有し、
該主体を該腹部板に対し、水平に反復して移動するべく操作することによって、間接的に該回転体が該主体に対して偏心状態を保ちつつ水平に回転し、同時に両手と腹部と腰部とを相互に協調させながら運動させることを特徴とする手腕と腰部と腹部の健康器具。
【請求項２】
該回転体内には半径方向にスライドする重量ブロックが設置され、且つ該重量ブロックは該回転軸の軸心との相対距離が調整可能とされていることを特徴とする請求項１記載の手腕と腰部と腹部の健康器具。
【請求項３】
該回転体と回転軸の軸心間にはメータ内臓センサが設けられており、発電コイル及び電磁石が該回転軸と下盤の凸球部間に設けられると共に該上盤の穿孔内の凸球部片側には感応磁石が固定され、それによって検出された信号により作動する数字モニタが該主体上方に設けられてなるものである、
ことを特徴とする請求項１記載の手腕と腰部と腹部の健康器具。
【考案の詳細な説明】
【技術分野】
【０００１】
本考案は手腕と腰部と腹部の健康器具に係り、特に手腕と腰部と腹部の運動を同時に且つ効果的に行う運動器具に関わる。
【背景技術】
【０００２】
現代人の生活は往々にして多忙で戸外に出て運動する時間すらなく、また物が豊かな条件の下で生活をしているため、体内の脂肪が蓄積して肥満になりやすい。よって体内の新陳代謝を高め、血液の循環を促すための各種運動機材が開発されている。特に腰部や腹部などの運動に関しては、運動量が少ないために脂肪が最も蓄積しやすい部位であることから、フラフープを回す等の運動をする者がいる。
【考案の開示】
【考案が解決しようとする課題】
【０００３】
しかし、腰部や腹部の運動のためにフラフープを使用することにおいて、力の加減が不適切であったり、また回す技術が下手であったりすると、体にスポーツ傷害などの不具合が出てきてしまう。
そこで、腰部の適切な運動を提供するその他の運動器具としては、電動による腰部及び腹部に対する運動機材があり、これはモータによりベルトへ震動を与え、該ベルトを腰部に掛けることで腰部に震動を与えるものがあるが、しかし長期にわたって使用すると、四肢は震動に従って不自然に揺れ動くことから四肢が硬くなりがちであるといった欠点がある。
そこで上述の欠点に鑑み、手腕と腰部と腹部の運動を同時に行い、且つ優れた運動効果を提供するべく、本考案の手腕と腰部と腹部の健康器具を提供する。
【課題を解決するための手段】
【０００４】
主体とグリップバーと第一連結棒と腹部板と第二連結棒と回転体とより構成し、該主体においては中空を呈したリングとし、且つ該主体の中央部には滑動凹部を設け、該滑動凹部内部には該滑動凹部両端に設けたブロック壁間にて圧制される弾発部材と滑動ブロックとを設け、また該グリップバーにおいては嵌合固定段と操作段とより構成し、該第一連結棒においては該主体間での移動位置制限効果を提供すべく片側にスライド溝を設け、且つ同側が該滑動ブロックと連結される横向きの棒であり、該腹部板においては一端を該第一連結棒の主体と逆側にて嵌合固定し、該第二連結棒においては上横段と下向段とが垂直状態を呈してなるものであり、且つ該上横段は該主体内に嵌合されるものとし、該回転体においては該第二連結棒の下向段を偏心軸として回転するものとし、こうすることで操作する者が該主体に対し該腹部板を平行に反復させて移動させることにより、間接的に該回転体と該主体とが偏心状態を保って平行回転することで両手と腹部と腰部とが相互に協調して運動できるようにする。
【考案の効果】
【０００５】
本考案によると、両腕と腰部及び腹部が相互に協調して規律的に揺れ動き、効率よく体全体が優れた運動をする目的が達成された。
【考案を実施するための最良の形態】
【０００６】
本考案は図１，２に示すように、主に主体１，グリップバー２，第一連結棒３，腹部板４，第二連結棒５及び回転体６とより構成される。
【０００７】
該主体１は上リング１１，下リング１２，弾発部材１３及び滑動ブロック１４とより構成される中空のリング状を呈したものであり（図３参照）、該上リング１１と下リング１２中央個所には相対する滑動凹部１１１，１２１が設けられており、且つ該滑動凹部１１１，１２１両端にはそれぞれ相対する第一棒収容溝１１２，１２２及び第二棒収容溝１１３，１２３が設けられており、該第一連結棒３を該第一棒収容溝１１２，１２２間に固定し、該第二連結棒５を該第二棒収容溝１１３，１２３間に固定し、且つ該滑動凹部１１１，１２１両側にて対称を成して、上リング１１と下リング１２とにはそれぞれ第三棒収容溝１１４，１２４が相対して設けられており、それぞれが該グリップバー２に連結される。また弾発部材１３はスプリングとし、該滑動凹部１１１，１２１間に収容されており、且つ該弾発部材１３の一端は滑動ブロック１４と連結されており、該滑動凹部１１１，１２１内部には該第一棒収容溝１１２，１２２と該第二棒収容溝１１３，１２３に相対してブロック壁１２５が設けられており。該弾発部材１３の弾力により、該弾発部材１３が該滑動ブロック１４と共に該ブロック壁１２５にてブロックされるようになっている（図６参照）。
【０００８】
該グリップバー２（図２参照）においては、嵌合固定段２１及び操作段２２とが連結されており、該嵌合固定段２１は該主体１の上リング１１と下リング１２との間の第三棒収容溝１１４，１２４内部に嵌合されており、該操作段２２においては、使用者が握る場所を提供するものとする。
【０００９】
該第一連結棒３は、その一端が該滑動ブロック１４と結合して一体となった横向きの棒（図２，６参照）であり、該滑動ブロック１４は該第二棒収容溝１１３，１２３によって該主体１の上リング１１と下リング１２の間の滑動凹部１１，１２１内部に嵌合され、且つ該第一連結棒３の片側には凹状を呈したスライド溝３１が設けられており、更に該下リング１２にはボルトホール１２６が形成されていてスライドボルト３２を定位する個所を提供しており、こうすることで該第一連結棒３と該主体１との間の移動位置を限定する。
【００１０】
該腹部板４（図１，２参照）においては、人体の腹部を密着させるのに適した形状とするべく弧度を具有する板であり、且つその一端には該第一連結棒３のもう一端が固定される凸リング４１が設けられている。
【００１１】
該第二連結棒５（図２参照）においては、上横段５１と下向段５２とが互いに垂直を呈していることにより直角を成す棒となっており、該上横段５１は該主体１の上リング１１と下リング１２の第一棒収容溝１１２，１２２に嵌合される（図３参照）。
【００１２】
該回転体６（図１，２参照）においては、上盤６１，枢軸６２，下盤６３より構成され、該第二連結棒５の下向段５２を軸として回転する軸となっている（図３参照）。該上盤６１上端には上向き且つ中空を呈した凸球部６１１が設けられており、該凸球部６１１の上至端には穿孔６１２が設けられている。該枢軸６２上端には該凸球部６１１の穿孔６１２を貫通し、更に該第二連結棒５の下向段５２に固定され、且つ該枢軸６２の下端は該凸球部６１１の内側と吻合する形状を呈しているものとする。該下盤６３の周縁は該上盤６１と貼設しており、該上盤６１の上向き球状の凸球部６１１に対応して下向き球状の凸球部６３１が設けられている。
【００１３】
上述の構造により、使用者が本考案を操作しようとする際は、先ず該腹部板４の円弧面と腹部とを密着させ、同時に両手で該グリップバー２の操作段２２を握り、続けて両手で該主体１を該腹部板４に向けて引っ張り、一定の時間を置いた後（図７参照）手を放つことで該主体１は該弾発部材１３の弾力により、該スライドボルト３２が該第一連結棒３のスライド溝３１に沿って該腹部板４側から滑動して移動し、且つ該スライド溝３１のストッパー３１１に達する（図６参照）。これを繰り返すことで、手腕と腹部の運動の目的が達成される。
【００１４】
また該主体１を該腹部板４に近づけたり放したりする過程において、同時に腰部で円を描く運動をすることもでき、これは両手で該グリップバー２を操作することで該主体１の位置を移動させて（図５参照）、間接的に該回転体６が該主体１に対して偏心状態を保って水平に回転をし、こうすることで生じる遠心力が同時に両手と腹部と腰部が相互に協調し且つ規律的に揺れ動く作用が提供され、全身に優れた運動効果を提供する。
【００１５】
また図２，３に示すように、本考案の回転体６内には更に重量ブロック６４を設け、且つ中央個所にはボルトホール６４１を設けてボルト６４２が螺合できる個所を提供しており、該上盤６１と下盤６３の凸球部６１１，６３１に向けて底部より延伸する滑動ブロック軌道６１３，６３２が設けられており、且つ該下盤６３の滑動ブロック軌道６３２底部にはスライド孔６３３が設けられており、且つ該スライド孔６３３には該重量ブロック６４を上下に貫通する上記ボルト６４２が挿通し、該重量ブロック６４は該スライド孔６３３間の位置で一定距離を滑動して停止する動作を繰り返し、こうすることで該重量ブロック６４は枢軸部６２との間の相対距離を調整し、該回転体６を連動させるのに必要な力を変える。また該重量ブロック６４の位置が該枢軸部６２に近づくほど（図４参照）、つまり互いの距離が近くことで該枢軸の抵抗力が大きくなり、逆に該重量ブロック６４の位置が該枢軸部６２から遠くなるほど（図３参照）、該枢軸の抵抗力は小さくなる。こうすることで使用者の必要に応じてトレーニングの難度が調整されて異なる使用者に合わせたレベルが提供できる。
【００１６】
該上盤６１，下盤６３と該枢軸部６２との間にはメータ内臓センサ７（図２，３参照）が設けられており、発電コイル７１と電磁石７２を該枢軸部６２と該下盤６３の凸球部６３１間に設け、該上盤６１の穿孔６１２内の凸球部６１１片側には感応磁石７３が固定されていることより、該回転体６が該第二連結棒５を偏心軸として回転するとき、該感応磁石７３と該発電コイル７１との間には間欠的に磁性による「引っ張る」シグナルと「反撥する」シグナルが生じる。また該発電コイル７１両端の電源線には発光部７４（発光ダイオードなど）を連結したり、音声装置（図中なし）を設けることで、回転速度の違いによってランプが点滅したり、或いは音声が間欠的に知らされる。該上盤１１上には数字モニタ８が設けられ、該数字モニタ８は予めサイクル数を設定し（例：一回転に付き１度ずつ加算など）、こうすることで該回転体６の回転数の累計が数値となって表されて、運動量をわかりやすくする。
【図面の簡単な説明】
【００１７】
【図１】本考案における外観説明図である。
【図２】本考案における立体分解図である。
【図３】本考案における組み立て後の断面図である。
【図４】本考案組み立て後に重量ブロックを調整した様子を示す断面図である。
【図５】本考案における主体と回転体間の動作を示す説明図である。
【図６】本考案における主体と腹部板との間の連結状態を示す断面図である。
【図７】本考案において、主体が腹部板に向けて圧迫する様子を示す断面図である。
【符号の説明】
【００１８】
１  主体
１１  上リング
１２  下リング
１３  弾発部材
１４  滑動ブロック
１１１，１２１  滑動凹部
１１２，１２２  第一棒収容溝
１１３，１２３  第二棒収容溝
１１４，１２４  第三棒収容溝
１２５  ブロック壁
１２６  ボルトホール
２  グリップバー
２１  嵌合固定段
２２  操作段
３  第一連結棒
３１  スライド溝
３１１  縁
３２  スライドボルト
４  腹部板
４１  凸リング
５  第二連結棒
５１  上横段
５２  下向段
６  回転体
６１  上盤
６１１  凸球部
６１２  穿孔
６２  枢軸部
６３  下盤
６３１  凸球部
６１３，６３２  滑動ブロック軌道
６３３  スライド孔
６４  重量ブロック
６４１  ボルトホール
６４２  ボルト
７  メータ内臓センサ
７１  発電コイル
７２  電磁石
７３  感応磁石
７４  発光部
８  数字モニタ
【図１】
0003101470.tif 000003
【図２】
0003101470.tif 000004
【図３】
0003101470.tif 000005
【図４】
0003101470.tif 000006
【図５】
0003101470.tif 000007
【図６】
0003101470.tif 000008
【図７】
0003101470.tif 000009